(57)【要約】【課題】換気ファンを停止することなく、換気ファンの排気を利用して自動的に吸気フィルターの目詰まりを防止する。【解決手段】電気盤内に収納された電気品２を強制風冷により冷却するものにおいて、筐体１内に電気品２を収容し、筐体１に取付けられた換気ファン３ａ，３ｂの排出側にパージ用空気ダクト８を設けるとともに、このパージ用空気ダクト８の端部にパージノズル１０を設け、このパージノズル１０から放出される空気により回転式吸気フィルター５の塵埃を除去するようにする。【選択図】          図１
2005012953.tif 000002
【特許請求の範囲】
【請求項１】
筐体内に電気品を収容した電気盤であって、上記筐体に取付けられた換気ファンの排出側にパージ用空気ダクトを設けるとともに、このパージ用空気ダクトの端部にノズルを設け、このノズルから放出される空気によりフィルターの塵埃を除去することを特徴とする電気盤。
【請求項２】
筐体内に電気品を収容した電気盤であって、上記筐体外の空気を筐体内に引き込むための空気配管を設けるとともに、この空気配管の端部にノズルを設け、このノズルから放出される空気によりフィルターの塵埃を除去することを特徴とする電気盤。
【請求項３】
上記ノズルから放出される空気を導くための排気ダクトを設け、上記筐体に対して吸気口とは反対側の面から塵埃を放出するようにしたことを特徴とする請求項１記載の電気盤。
【発明の詳細な説明】
【０００１】
【発明の属する技術分野】
この発明は、発電所等に使用される電気盤に関するものであり、特に発熱が比較的大きく、強制風冷を行っている電気盤に関するものである。
【０００２】
【従来の技術】
従来の配電盤の換気装置においては、換気ファンを一旦停止させてから保守ファンを回して冷却風の流れを逆流させて、フィルターに詰まった塵埃を吸い出すものがあった（例えば、特許文献１参照）。
また、ディスプレイのフィルター装置においては、除塵の手段としてブラシまたは帯電体を用いたものがあった（例えば、特許文献２参照）。
【０００３】
【特許文献１】
特開昭５８−６０１０号公報（第３頁、第３図）
【特許文献２】
特開２００２−１０３７号公報（第５頁、第４、５図）
【０００４】
【発明が解決しようとする課題】
従来の配電盤換気装置は以上のように構成されているので、換気ファンを一旦停止しなければならず、そのため内部の電気品の温度が一時的に上昇し、製品寿命を短くする恐れがあるという問題点があった。
また、配電盤の天井部に設置したフィルターの付いていない排気口側から吸気するため、盤内に塵埃が入り込み易く、天井部の高温空気を取り込むため冷却効果も低下するなどの問題点があった。
【０００５】
この発明は上記のような課題を解決するためになされたものであり、換気ファンを停止させずに、吸気フィルターに付着した塵埃を自動的に除去できるとともに、除塵作業において内部の電気品の寿命にも影響を与えない電気盤の換気装置を提供することを目的とする。
【０００６】
【課題を解決するための手段】
この発明の請求項１に係る電気盤は、筐体内に電気品を収容したものであって、筐体に取付けられた換気ファンの排出側にパージ用空気ダクトを設けるとともに、このパージ用空気ダクトの端部にノズルを設け、このノズルから放出される空気によりフィルターの塵埃を除去するものである。
【０００７】
【発明の実施の形態】
実施の形態１．
以下、この発明の一実施形態を図に基づいて説明する。
図１はこの発明の実施の形態１による電気盤を示す断面図、図２は同じく平面図である。
図において、電気盤の筐体１内には電気品２が収納されており、この電気品２を冷却するために、換気ファン３ａ，３ｂが電気盤の筐体１の天井部に設けられている。
そして吸気口４から外気が吸い込まれ、回転式吸気フィルター５が筐体１内に吸い込まれる空気の塵埃を除去する。
【０００８】
ローラ６は回転式吸気フィルター５を回転させ、駆動装置７はローラ６に連結され、ローラ６を回転させる。
パージ用空気ダクト８は換気ファン３ａ，３ｂの出口部から分岐させて設けられており、このパージ用空気ダクト８の途中には空気ダクトダンパ９が設置され、更にその先端部にはパージノズル１０が設けられている。
回転式吸気フィルター５によって除去された塵埃は排気口１１から放出され、パージ室１２内にパージノズル１０が収納されている。
【０００９】
温度センサー１３ａ，１３ｂは筐体１内の換気空気の温度を検出するように設置されており、筐体１の奥行き寸法が大きい場合には、電気品２の冷却効果を高めるために、セパレータ１４が設けられている。
更に、電気盤の筐体１の下部にはベース１５が設けられている。
【００１０】
次に動作について説明する。
換気ファン３ａ，３ｂによって、吸気口４から外気が電気盤内に取り込まれ、その際吸気フィルター５で塵埃を除去された外気により、電気盤筐体１内に収納された電気品２は冷却されて正常に運用される。
回転式吸気フィルター５が塵埃により目詰まりした場合、回転式吸気フィルター５を通過して電気盤内に取り込まれる外気量が減少するため、電気品２が正常に冷却されず、筐体１内の温度が上昇することとなる。
そして温度センサー１３ａ，１３ｂにより、電気盤内の温度が異常であることを検出し、回転式吸気フィルター５が清掃時期になったことを知らせる。
【００１１】
温度センサー１３ａ，１３ｂからの信号を受け、回転式吸気フィルター５が取付けられたローラ６に連結された駆動装置７は、回転式吸気フィルター５を下方へ移動するように回転し、目詰まりしてない新しい回転式吸気フィルター５が吸気口４部分に設置されることになる。
パージ室１２に導かれた目詰まりして汚れた回転式吸気フィルター５は、換気ファン３ａ，３ｂの排出口から分岐させて設けられたパージ用空気ダクト８の途中に設置された空気ダンパ９が開かれることにより、パージ室１２内のパージノズル１０から放出されるパージ空気により塵埃が除去され、排気口１１から筐体１外に塵埃は放出される。
【００１２】
換気ファン３ａ，３ｂが故障して停止すると電気品２が許容温度以上となり、電気品２が破壊したり、電気品２の寿命に影響が及び、装置全体に支障をきたすため、換気ファン３ａ，３ｂの予備器を備えることにより、連続運転可能な構成としている。
以上のようにこの発明によれば、換気ファン３ａ，３ｂを停止することなく、筐体１内部の電気品２の冷却効果を低下させずに、換気ファン３ａ，３ｂの排気を利用して自動的に回転式吸気フィルター５の清掃が可能なように構成したため、長期連続運転が可能となり、保守の効率化を図るとともに、発電所の無人化等が実現できる効果がある。
【００１３】
実施の形態２．
上記実施の形態１では、汚れた回転式吸気フィルター５の塵埃を除去したパージ用空気の排気を、筐体１において吸気口４側で行った場合を示したが、本実施形態においては、パージ用空気の排気を筐体１において吸気口４側とは反対側から放出するとともに、排気ダクトをベース１５部分に配置することにより、吸気に排気が混入するのを防ぐものである。
図３はこの発明の実施の形態２による電気盤を示す断面図であり、図において、ベース１５部分に排気ダクト１６を設けるとともに、その先端部に排気口１７を設ける。
【００１４】
次に動作について説明する。
上記実施の形態１では、パージノズル１０を筐体１の外側に向けて噴射するように設置したが、本実施形態においては、パージノズル１０を筐体１内に向け、その出口に排気ダクト１６を接続することにより、回転式吸気フィルター５の塵埃を除去したパージ空気の排気を、筐体１のベース１５部分に配置した排気ダクト１６を経由して、筐体１に対して吸気口４とは反対側に位置する排気口１７から排気されるようにする。
【００１５】
以上のようにこの発明によれば、パージ空気の排気が吸気と混入する心配が無くなり、筐体１内の温度が必要以上に上昇するのを回避することができる。
また、ベース部に配置された排気ダクト１６を筐体１のベース１５と共用し、更には筐体１の基礎部に溝を設けて、これを排気ダクトとして利用することができ、装置全体を経済的に構成することができる。
【００１６】
実施の形態３．
上記実施の形態１では、回転式吸気フィルター５の塵埃を除去するために使用するパージ用空気として、換気ファン３ａ，３ｂによる排気を利用したが、本実施形態においては、発電所構内で使用している制御用空気、または発電所内用空気をパージ用空気として利用したものである。
図４はこの発明の実施の形態３による電気盤を示す断面図であり、図において、空気配管１８により、発電所構内の空気を筐体１内に引き込み、この空気配管１８には空気供給弁１９が設けられている。
【００１７】
次に動作について説明する。
発電所構内の制御用、または発電所内用空気を空気配管１８で筐体１内に引き込み、回転式吸気フィルター５を清掃する際は空気供給弁１９を開き、パージノズル１０から回転式吸気フィルター５に供給空気を吹き付けて塵埃を除去する。
【００１８】
以上のようにこの発明によれば、発電所構内で容易に入手可能な供給空気を利用するので、筐体１内に設置するパージ用空気ダクトを容易に設置することができる。
また、換気ファン３ａ，３ｂにより供給される温度の高い空気に比ベて、回転式吸気フィルター５を低温で清掃することができ、これにより回転式吸気フィルター５の損傷が少なくなる等の効果が得られる。
【００１９】
【発明の効果】
この発明の請求項１に係る電気盤によれば、筐体内に電気品を収容したものであって、筐体に取付けられた換気ファンの排出側にパージ用空気ダクトを設けるとともに、このパージ用空気ダクトの端部にノズルを設け、このノズルから放出される空気によりフィルターの塵埃を除去するようにしたので、長期連続運転が可能となり、保守の効率化を図るとともに、発電所の無人化等が実現できる効果がある。
【図面の簡単な説明】
【図１】この発明の実施の形態１による電気盤を示す断面図である。
【図２】この発明の実施の形態１による電気盤を示す平面図である。
【図３】この発明の実施の形態２による電気盤を示す断面図である。
【図４】この発明の実施の形態３による電気盤を示す断面図である。
【符号の説明】
１  筐体、２  電気品、３ａ，３ｂ  換気ファン、５  フィルター、８  パージ用空気ダクト、１０  ノズル、１６  排気ダクト、１８  空気配管。
【図１】
2005012953.tif 000003
【図２】
2005012953.tif 000004
【図３】
2005012953.tif 000005
【図４】
2005012953.tif 000006